(57)【要約】      （修正有）【課題】支点が常に安定し、数種類の径の異なる円を正確且つ簡単に描くことができるコンパス兼用定規を提供する。【解決手段】定規２と、該定規の一端に穿設した第１孔２ａと、前記第１孔に回動可能に取り付けた穴を有する回転軸３と、前記第１孔から前記定規の他端側に向け一定間隔を設けた複数の第２孔２ｂとからなり、前記回転軸を押圧し、前記第２孔の何れかに筆記具を挿入したまま前記回転軸を中心に前記定規を回転させ円を描くことを特徴とするコンパス兼用定規１の構成とした。【選択図】図１
0003162683.tif 000002
【実用新案登録請求の範囲】
【請求項１】
定規と、前記定規の一端に穿設した第１孔と、前記第１孔に回動可能に取り付けた穴を有する回転軸と、前記第１孔から前記定規の他端側に向け一定間隔を設けた複数の第２孔とからなり前記回転軸を押圧し、前記第２孔の何れかに筆記具を挿入したまま前記回転軸を中心に前記定規を回転させ円を描くことを特徴とするコンパス兼用定規。
【請求項２】
前記定規に、前記第１孔の中心を通り前記定規の長手方向に横線を描き、前記第１孔の中心を通り前記横線と直交する縦線を描き、前記横線上でかつ前記定規の前記第１孔側の端部に上面から裏面にかけてＶ字溝を設けたことを特徴とする請求項１に記載のコンパス兼用定規。
【請求項３】
前記回転軸を、筒状の上連結部及び前記上連結部の上部に連設され中央に孔を穿設し外径が前記上連結部の外径よりも大きい上係止部からなる上軸部材と、筒状で外径が前記上連結部の内径と等しい下連結部及び前記下連結部の下部に連設され中央に孔を穿設し底面に複数の突起を形成した下係止部からなる下軸部材とからなり、前記上連結部に下連結部を前記定規の表裏からそれぞれ嵌着し、前記下係止部が前記上係止部を係止するとともに前記上係止部及び前記下係止部がそれぞれ前記定規に係止されてなる回転軸としたことを特徴とする請求項１又は請求項２に記載のコンパス兼用定規。
【請求項４】
前記定規を、長手方向の両縁部の表裏を辺に向かって厚みを薄くし、前記縁部以外の上面平坦部の縁と前記第１孔の縁と前記第２孔の縁を残して一段低くした定規としたことを特徴とする請求項１から請求項３の何れか１項に記載のコンパス兼用定規。
【請求項５】
前記定規を、両縁部から両辺まで表裏異なる縮尺の目盛りを付し、かつ前記複数の第２孔を、前記第１孔の中心から３７．５ミリ、５０ミリ、６２．５ミリ、７５ミリ、１００ミリの位置が中心である複数の第２孔としたことを特徴とする請求項１から請求項４のいずれか１項に記載のコンパス兼用定規。
【請求項６】
前記定規を、平坦部に表面から裏面にかけてルーペ取付孔を穿設し、前記ルーペ取付孔にルーペを取り付けた定規としたことを特徴とする請求項１から請求項５のいずれか１項に記載のコンパス兼用定規。
【考案の詳細な説明】
【技術分野】
【０００１】
本考案は、円を描くことができる定規に関する。
【背景技術】
【０００２】
従来、円を描く場合にはコンパスを使用し、直線を描く場合は定規を使用していた。
【０００３】
しかしながら、作業現場などでは、上記のように二種類の道具を持ち、作業によって使い分けるのは面倒であり、特に天井に穴を開ける場合に予め目印の円を印すが、従来のコンパスでは描くことのできる円の大きさが限られており作業現場には不向きであった。
【０００４】
また、大きな円を描くためにはコンパス自体が大きくなり、持ち歩くには邪魔で不便であった。
【０００５】
また、前述の用に天井に円を描く際は上を向いて、天井に向かって腕を伸ばして作業をするため一端に支点となる針のような部材を備えるコンパスでは、手元が狂って落とした場合に危険が伴うものであった。
【０００６】
上記のような方法に変えて、従来からある物差しに支点となる穴と半径となる位置に穴を開け、支点側の穴に筆記具やドライバーなどを指して位置を固定し、半径となる穴に筆記具を指して、支点を動かさずに半径となる穴に指した筆記具を移動させて円を描く方法が行われているが、この場合支点を固定するための棒状の部材と、円を描く筆記具が必要となり非常に作業効率が悪いものであった。
【０００７】
また、支点となる穴の径と位置固定の部材の径が合わない場合、円を描いている最中にも支点がずれることがあり、歪んだ円となることが多かった。
【先行技術文献】
【特許文献】
【０００８】
【特許文献１】特願２００５−８６７７１号公報
【考案の概要】
【考案が解決しようとする課題】
【０００９】
そこで、本考案は、支点が常に安定し、数種類の径の異なる円を正確且つ簡単に描くことができるコンパス兼用定規を提供する。
【課題を解決するための手段】
【００１０】
本考案は、上記の課題を解決するために、定規と、前記定規の一端に穿設した第１孔と、前記第１孔に回動可能に取り付けた穴を有する回転軸と、前記第１孔から前記定規の他端側に向け一定間隔を設けた複数の第２孔とからなり、前記回転軸を押圧し、前記第２孔の何れかに筆記具を挿入したまま前記回転軸を中心に前記定規を回転させ円を描くことを特徴とするコンパス兼用定規の構成とした。
【００１１】
また、前記定規に、前記第１孔の中心を通り前記定規の長手方向に横線を描き、前記第１孔の中心を通り前記横線と直交する縦線を描き、前記横線上でかつ前記定規の前記第１孔側の端部に上面から裏面にかけてＶ字溝を設けたことを特徴とするコンパス兼用定規の構成とした。
【００１２】
また、前記回転軸を、筒状の上連結部及び前記上連結部の上部に連設され中央に孔を穿設し外径が前記上連結部の外径よりも大きい上係止部からなる上軸部材と、筒状で外径が前記上連結部の内径と等しい下連結部及び前記下連結部の下部に連設され中央に孔を穿設し底面に複数の突起を形成した下係止部からなる下軸部材とからなり、前記上連結部に下連結部を前記定規の表裏からそれぞれ嵌着し、前記下係止部が前記上係止部を係止するとともに前記上係止部及び前記下係止部がそれぞれ前記定規に係止されてなる回転軸としたことを特徴とするコンパス兼用定規の構成とした。
【００１３】
また、前記定規を、長手方向の両縁部の表裏を辺に向かって厚みを薄くし、前記縁部以外の上面平坦部の縁と前記第１孔の縁と前記第２孔の縁を残して一段低くした定規としたことを特徴とするコンパス兼用定規の構成とした。
【００１４】
更に、前記定規を、両縁部から両辺まで表裏異なる縮尺の目盛りを付し、かつ前記複数の第２孔を、前記第１孔の中心から３７．５ミリ、５０ミリ、６２．５ミリ、７５ミリ、１００ミリの位置が中心である複数の第２孔としたことを特徴とするコンパス兼用定規の構成とした。
【００１５】
加えて、前記定規を、平坦部に表面から裏面にかけてルーペ取付孔を穿設し、前記ルーペ取付孔にルーペを取り付けた定規としたコンパス兼用定規の構成とした。
【考案の効果】
【００１６】
回転軸をしっかりと固定することができ、定規に穿設した各孔が筆記具をしっかりと受けるため、円を描く最中に回転軸及び筆記具がズレることがなく正確な円を簡単に描くことができる。
【００１７】
また、前記回転軸の中央は貫通しているため描く円の中心と回転軸の中心を簡単に併せることができ、容易に複数の円を一直線上に印すことができる。
【００１８】
更に、表裏面の縁に縮尺のことなる４種の目盛りが付されているため、特殊な縮尺で描かれている図面から容易に実寸を計測し、定規を変えることなく図面で指定されている円を描くことができるので、作業効率が良くなる。
【００１９】
加えて、本考案自体が軽量であるため、万が一、高所から落下させても怪我をする心配はなく、安心して扱うことができる。
【図面の簡単な説明】
【００２０】
【図１】本考案であるコンパス兼用定規の平面図及び底面図である。
【図２】本考案であるコンパス兼用定規を構成する定規の斜視図である。
【図３】本考案であるコンパス兼用定規を構成する定規の各断面図である。
【図４】本考案であるコンパス兼用定規を構成する上下軸部材の斜視図である。
【図５】本考案であるコンパス兼用定規を構成する上軸部材を示す図である。
【図６】本考案であるコンパス兼用定規を構成する下軸部材を示す図である。
【図７】本考案であるコンパス兼用定規を構成する回転軸の断面図及びコンパス兼用定規の断面図である。
【図８】本考案であるコンパス兼用定規の第２実施例の平面図である。
【考案を実施するための形態】
【００２１】
以下、添付の図面を参照し、本考案の実施の形態について詳細に説明する。
【実施例１】
【００２２】
図１は本考案であるコンパス兼用定規の平面図及び底面図、図２はコンパス兼用定規を構成する定規の斜視図、図３はコンパス兼用定規を構成する定規の各断面図、図４はコンパス兼用定規を構成する上下軸部材の斜視図、図５はコンパス兼用定規を構成する上軸部材を示す図、図６はコンパス兼用定規を構成する下軸部材を示す図、図７はコンパス兼用定規を構成する回転軸の断面図及びコンパス兼用定規の断面図である。
【００２３】
図１に示すように、本考案であるコンパス兼用定規１は、定規２と、前記定規２の一端に穿設した第１孔２ａと、前記第１孔２ａに回動可能に取り付けた穴を有する回転軸３と、前記第１孔２ａから前記定規２の他端側に向け一定間隔を設けた複数の第２孔２ｂ、２ｂ、２ｂ・・・とからなり、前記回転軸３を押圧し、前記第２孔２ｂの何れかに筆記具を挿入したまま前記回転軸３を中心に前記定規２を回転させ円を描くことを特徴とする。
【００２４】
また、前記定規２には、前記第１孔２ａの中心を通り前記定規２の長手方向に横線４ａを描き、前記第１孔２ａの中心を通り前記横線４ａと直交する縦線４を描き、前記横線４ａ上でかつ前記定規２の前記第１孔２ａ側の端部に上面から裏面にかけてＶ字溝２ｃを設けている。
【００２５】
また、前記定規２には、両縁部２ｊから両辺まで表裏異なる縮尺の目盛り４ｂ、４ｃ、４ｄ、４ｅが付されており、かつ前記複数の第２孔２ｂ、２ｂ・・・は、前記第１孔２ａの中心から３７．５ミリ、５０ミリ、６２．５ミリ、７５ミリ、１００ミリの位置が中心となるように穿設されている。
【００２６】
図２及び図３に示すように、前記定規２は、長手方向の両縁部２ｊの表裏を辺に向かって厚みを薄くし、前記縁部２ｊ以外の上面平坦部の縁と前記第１孔２ａの縁２ｄと前記第２孔２ｂの縁２ｅを残して一段低く段差２ｆを設けている。
【００２７】
また、図２（Ｂ）に示すように、第１孔２ａの裏面側（即ち、定規２の裏面側）の径は表面側の径よりも大きく拡張部２ｇを形成しており、前記拡張部２ｇの周面の更に外周には段差２ｈが形成されている。
【００２８】
一方、前記第２孔２ｂ、２ｂ、２ｂ・・・の裏面側（即ち、定規２の裏面側）の径は正面側の径よりも小さく形成されており、前記第２孔２ｂの裏面側の周面の更に外周には段差２ｉが形成されている。
【００２９】
図３（Ａ）に示すように、前記第２孔２ｂの断面形状は、定規２の表面側が最も径が大きく、裏面に向かうに従って徐々に径が小さくなり、定規２の厚みの真ん中で最も径が小さくなる。更に定規２の厚みの真ん中から裏面にかけては径は一定している。
【００３０】
前記のように第２項２ｂの径を徐々に小さくして傾斜２ｋを設けることにより、定規２の表面側から第２孔２ｂに挿入した筆記具の周面と傾斜２ｋの面が重なり、筆記具の先端と第２孔２ｂの中心が一致するようになり、円を描く最中に筆記具の先端と第２孔２ｂの中心がずれにくくなる。
【００３１】
図３（Ｂ）に示すように、定規２において第１孔２ａまたは第２孔２ｂが穿設されていない部分の断面は、表面側平坦部に広く段差２ｆが形成されている。
【００３２】
図３（Ｃ）に示すように、前記第１孔２ａの断面形状は、定規２の表面側から定規２の厚みの真ん中まで同じ径を保ち、定規２の真ん中から裏面にかけて径が一回り大きくなっている。従って、第１項２ａにおいて定規２の厚みの真ん中の地点で拡張部２ｇが形成され段差となっている。
【００３３】
また、前記第１項２ａの表面側は縁２ｄを残して段差２ｆにより一段低くなっており、裏面側は縁の外周に段差２ｈが形成されて一段低くなっている。
【００３４】
図４及び図７（Ａ）に示すように、前記回転軸３は、筒状の上連結部５ｂ及び前記上連結部５ｂの上部に連設され中央に孔５ｃを穿設し外径が前記上連結部５ｂの外径よりも大きい上係止部５ａからなる上軸部材５と、筒状で外径が前記上連結部５ｂの内径と等しい下連結部６ｂ及び前記下連結部６ｂの下部に連設され中央に孔６ｃを穿設し底面に複数の突起６ｄを形成した下係止部６ａからなる下軸部材６とからなり、前記上連結部５ｂに下連結部６ｂを前記定規２の表裏からそれぞれ嵌着し、前記下係止部６ａが前記上係止部５ａを係止するとともに前記上係止部５ａ及び前記下係止部６ａがそれぞれ前記定規２に係止されてなる。
【００３５】
図４（Ａ）、（Ｂ）及び図５の各図に示すように、前記上係止部５ａの中央には孔が穿設されており、この孔の径は上係止部５ａの上端が最も大きく、下方（上連結部５ｂ側）に向かうに従って一気に径が小さくなり傾斜５ｄを形成し、途中から上係止部５ａの下部にかけて径の大きさが一定している。
【００３６】
前記上係止部５ａの径よりも上連結部５ｂの径の方が大きく、図５（Ｄ）に示すように、上係止部５ａの孔から上連結部５ｂの孔に移行する部分で大きな段差となっている。
【００３７】
図４（Ｃ）、（Ｄ）及び図６の各図に示すように、前記下係止部６ａの底面には複数の突起６ｄ、６ｄ、６ｄ・・・が形成されている。この突起６ｄにより回転軸３を壁面に固定する際の滑り止めとなり、回転軸３を安定させた状態で円を描くことができる。
【００３８】
尚、前記突起５ｄについては、先端が尖っていても、丸みを帯びた半球であってもよく、更に、突起５ｄを設けなくても構わない。また、突起５ｄの代わりに滑り止め効果のあるシートを貼りつけてもよい。
【００３９】
図７（Ｂ）は、Ｈ−Ｈ線の断面図である。図７（Ｂ）に示すように、前記上係止部５ａ及び下係止部６ａの外径は、前記第１孔２ａの表面から定規２の厚みの真ん中の径よりも大きく、前記下係止部６ａの外径は、前記第１孔２ａの定規２の厚みの真ん中から裏面の径よりも小さい。また、上連結部５ｂの外径は前記第１孔２ａの表面から定規２の厚みの真ん中の径よりも小さい。
【００４０】
そのため、第１孔２ａの定規２の表面側から上軸部材５を、定規２の裏面側から下軸部材６を挿通して、前記上下軸部材５、６を連結すると、回転軸３は定規２から外れることなく、かつ上連結部５ｂの高さの分だけ上下に移動することができ、更に回転軸３は第１孔２ａ内で回転可能の状態となっている。
【００４１】
以上のような部材からなる本考案のコンパス兼用定規１を、まず円を描きたい壁面等に位置させるが、その際、円の中心と回転軸３の孔（５ｃ、６ｃ）の中心を合わせて、定規２の裏面が壁面等側にした状態とし、回転軸３の上係止部５ａ側に指を充て、壁等に向かって押し当てる。
【００４２】
次に、描きたい円の半径にあたる第２孔２ｂに筆記具を挿入し、そのまま回転軸３の位置を保ったまま定規２を回転させながら円を描く。
【００４３】
尚、前記筆記具には、鉛筆等の実線を描くことができるものの他に先端の尖った針のようなものを使用しても良く、その場合、壁等に円状の傷を付けることとなる。また、前記回転軸３の孔（５ｃ、６ｃ）に先端の尖った棒状の部材を挿入して回転軸３の位置を固定してもよい。
【実施例２】
【００４４】
図８は、本考案であるコンパス兼用定規の第２実施例の平面図である。
【００４５】
図８に示すように、コンパス兼用定規１ａは、実施例１のコンパス兼用定規１とほぼ同じ構造をしている。即ち、実施例１の定規２の平坦部に表面から裏面にかけてルーペ取付孔を穿設し、前記ルーペ取付孔にルーペ７を取り付けた定規２とし、他の構成については全く同じである。
【００４６】
前記ルーペ７を取り付けることにより、作業現場等で図面等の細かな記載を容易に見ることができ、より作業の効率化を図ることができる。
【産業上の利用可能性】
【００４７】
本考案であるコンパス兼用定規は、安全、正確、簡単に複数種の円を描くことができ、同時に縮尺の異なる図面から即座に実寸を計測することができるため、建築現場や土木現場を始め、様々な場面で利用されることが期待できる。
【符号の説明】
【００４８】
１    コンパス兼用定規
１ａ  コンパス兼用定規
２    定規
２ａ  第１項
２ｂ  第２項
２ｃ  Ｖ字溝
２ｄ  縁
２ｅ  縁
２ｆ  段差
２ｇ  拡張部
２ｈ  段差
２ｉ  段差
２ｊ  縁部
２ｋ  傾斜
３    回転軸
４    縦線
４ａ  横線
４ｂ  目盛り
４ｃ  目盛り
４ｄ  目盛り
４ｅ  目盛り
５    上軸部材
５ａ  上係止部
５ｂ  上連結部
５ｃ  孔
５ｄ  傾斜
６    下軸部材
６ａ  下係止部
６ｂ  下連結部
６ｃ  孔
６ｄ  突起
【図１】
0003162683.tif 000003
【図２】
0003162683.tif 000004
【図３】
0003162683.tif 000005
【図４】
0003162683.tif 000006
【図５】
0003162683.tif 000007
【図６】
0003162683.tif 000008
【図７】
0003162683.tif 000009
【図８】
0003162683.tif 000010